(57)【要約】【課題】ゲーム機の本体枠に対し中枠を開閉可能に取り付け、さらに中枠に対し透明板枠を開閉可能に取り付けることができると共に、中枠と透明板枠の着脱を容易に行うことができるゲーム機用上部蝶番を提供する。【解決手段】ゲーム機の本体枠３０の上角部に上部蝶番の固定部１が固定され、中枠３１の上角部に可動部１０が取り付けられ、中枠３１の前面側に回動可能に支持される透明板枠３２の上角部には、ピン固定部が取り付けられ、そこに透明板枠上ピン３３が突設される。固定部１には下向きにピン５が突設され、固定部１のピン５が可動部１０の上軸受部１６と板ばね２０の上先端軸受部２５により挟持されて可動部１０が回動可能に支持される。透明板枠上ピン３３がその可動部１０の下軸受部１９と板ばね２０の下先端軸受部２６により挟持され、透明板枠３２が回動可能に支持される。【選択図】図３
2006175178.tif 000002
【特許請求の範囲】
【請求項１】
ゲーム機の本体枠の上角部に固定される固定部と、該固定部にピンと軸受部との嵌合により回動可能に支持され、該ゲーム機の中枠の上角部に取り付けられる可動部と、該ゲーム機の中枠の前面側に回動可能に支持される透明板枠の上角部に取り付けられる透明板枠上ピンと、を備えたゲーム機用上部蝶番であって、
該固定部の水平取付板には水平突出部が前方に突設され、該水平突出部の下面にピンが下向きに突設され、該可動部には上水平板部と下水平板部とが垂直側壁部を介して平行に一体形成され、該上水平板部に該ピンが嵌挿される半円形状の上軸受部が設けられ、該上軸受部に連通する溝状の上案内路が該上水平板部にその端部を該垂直側壁部に開口して形成され、該下水平板部に該透明枠上ピンが嵌挿される半円形状の下軸受部が設けられ、該下軸受部に連通する溝状の下案内路が該下水平板部にその端部を開口して形成され、略Ｕ字状に曲折されて上板部と下板部を有した板ばねが該上水平板部と下水平板部との間に取り付けられ、該板ばねの上板部の先端に上先端軸受部が形成されると共に、該板ばねの下板部の先端に下先端軸受部が形成され、該上案内路から先端の上軸受部に達した該ピンが該板ばねの該上先端軸受部と該上軸受部との間に挟持されて保持され、該下案内路から先端の下軸受部に達した該透明板枠上ピンが該板ばねの該下先端軸受部と該下軸受部との間に挟持されて保持されることを特徴とするゲーム機用上部蝶番。
【請求項２】
前記板ばねの上板部には、前記固定部側のピンを導入させるための導入凹部が形成され、該ピンが該可動部の該上水平板部の上案内部に進入する際、該ピンの先端が導入凹部から該板ばねの上板部の先端を押下げ、該ピンが上板部の上先端軸受部に入った際、該板ばねがそのばね力により上方位置に戻り、該ピンが該上先端軸受部と前記上水平板部の上軸受部との間に挟持されて保持されることを特徴とする請求項１記載のゲーム機用上部蝶番。
【請求項３】
前記板ばねの下板部には、前記透明板枠上ピンを導入させるための導入傾斜部が形成され、該透明板枠上ピンが該可動部の下水平板部の下案内路に進入する際、該透明板枠上ピンの先端が該板ばねの下板部の導入傾斜部から先端を押上げ進入し、該透明板枠上ピンが該下板部の下先端軸受部に入った際、該板ばねがそのばね力により下方位置に戻り、該透明板枠上ピンが該下先端軸受部と前記下水平板部の下軸受部との間に挟持されて保持されることを特徴とする請求項１記載のゲーム機用上部蝶番。
【発明の詳細な説明】
【技術分野】
【０００１】
本発明は、パチンコ機、スロットマシン等のゲーム機の本体枠に対し中枠を開閉可能に取り付け、中枠に対し透明板枠を開閉可能に取り付けるゲーム機用上部蝶番に関する。
【背景技術】
【０００２】
パチンコ機の前扉を本体枠に対し開閉自在に取り付ける蝶番として、従来、上部に取り付けられる上部蝶番と下部に取り付けられる下部蝶番からなる蝶番がある。この蝶番は、上部蝶番、下部蝶番共に固定部と可動部とに分かれて形成された分離型つまり着脱型の蝶番であり、ピンと軸受部の嵌合により可動部側が固定部側に対し回動可能に支持される。つまり、上部蝶番の固定部は本体枠の上角部に固定され、上部蝶番の可動部は前扉の上角部に固定され、下部蝶番の固定部は本体枠の下角部に固定され、下部蝶番の可動部は前扉の下角部に固定される。そして、前扉を本体枠に対し取り付ける場合、前扉を持ってその下部蝶番の可動部を本体枠側の固定部にピンと軸受の嵌合により嵌め込み、同時に、その上部蝶番の可動部を本体枠側の固定部にピンと軸受の嵌合により嵌め込む。
【０００３】
従って、上記のように、前扉を本体枠に対し装着する際には、上角部と下角部に設けた両蝶番のピンと軸受を上下同時に嵌め合わせて行なう必要があり、加えて、パチンコ機の前扉には、パチンコ球の打ち出し装置や玉出し装置等の制御駆動装置が数多く取り付けられているから、前扉の重量は非常に重い。また、これらの前扉は、パチンコホールにおいて、作業者の手作業により本体枠側に装着されるため、このような前扉の取り付け作業は、かなり難しく、労力を必要とし、ピンと軸受の嵌合が良好にできない場合には、蝶番や他の部材を傷つけてしまう問題があった。
【０００４】
そこで、従来、下記特許文献１などにおいて、組付け作業を容易に行なうことができる分離型の蝶番が提案されている。
【特許文献１】特開平８−２１５３９５号公報
【発明の開示】
【発明が解決しようとする課題】
【０００５】
しかしながら、この種の従来の上部蝶番は、固定部の前部に突出した水平突出部上に、軸受孔を有する金属板を固定し、可動部上に上方に突設したピンを、その金属板を上方に弾性変形させながら、金属板の軸受孔に嵌入させる構造であり、蝶番の固定部に対し可動部を容易に嵌合させて蝶番を組み付けることができるものの、この種の上部蝶番は、本体枠に対し前扉のみを開閉可能に取り付ける構造であり、本体枠に対し中枠を開閉可能に取り付け、さらに中枠に対し透明板枠を開閉可能に取り付ける構造のゲーム機の場合には、中枠に対し透明板枠を開閉可能に取り付けるために別の蝶番を用意しなければならないという課題があった。
【０００６】
本発明は、上記の点に鑑みてなされたもので、ゲーム機の本体枠に対し中枠を開閉可能に取り付け、さらに中枠に対し透明板枠を開閉可能に取り付けることができると共に、中枠と透明板枠の着脱を容易に行うことができるゲーム機用上部蝶番を提供することを目的とする。
【課題を解決するための手段】
【０００７】
上記目的を達成するために、本発明のゲーム機用上部蝶番は、ゲーム機の本体枠の上角部に固定される固定部と、該固定部にピンと軸受部との嵌合により回動可能に支持され、該ゲーム機の中枠の上角部に取り付けられる可動部と、該ゲーム機の中枠の前面側に回動可能に支持される透明板枠の上角部に取り付けられる透明板枠上ピンと、を備えたゲーム機用上部蝶番であって、該固定部の水平取付板には水平突出部が前方に突設され、該水平突出部の下面にピンが下向きに突設され、該可動部には上水平板部と下水平板部とが垂直側壁部を介して平行に一体形成され、該上水平板部に該ピンが嵌挿される半円形状の上軸受部が設けられ、該上軸受部に連通する溝状の上案内路が該上水平板部にその端部を該垂直側壁部に開口して形成され、該下水平板部に該透明枠上ピンが嵌挿される半円形状の下軸受部が設けられ、該下軸受部に連通する溝状の下案内路が該下水平板部にその端部を開口して形成され、略Ｕ字状に曲折されて上板部と下板部を有した板ばねが該上水平板部と下水平板部との間に取り付けられ、該板ばねの上板部の先端に上先端軸受部が形成されると共に、該板ばねの下板部の先端に下先端軸受部が形成され、該上案内路から先端の上軸受部に達した該ピンが該板ばねの該上先端軸受部と該上軸受部との間に挟持されて保持され、該下案内路から先端の下軸受部に達した該透明板枠上ピンが該板ばねの該下先端軸受部と該下軸受部との間に挟持されて保持されることを特徴とする。
【０００８】
ここで、前記板ばねの上板部には、前記固定部側のピンを導入させるための導入凹部が形成され、該ピンが該可動部の該上水平板部の上案内部に進入する際、該ピンの先端が導入凹部から該板ばねの上板部の先端を押下げ、該ピンが上板部の上先端軸受部に入った際、該板ばねがそのばね力により上方位置に戻り、該ピンが該上先端軸受部と前記上水平板部の上軸受部との間に挟持されて保持されるように構成することができる。
【０００９】
また、前記板ばねの下板部には、前記透明板枠上ピンを導入させるための導入傾斜部が形成され、該透明板枠上ピンが該可動部の下水平板部の下案内路に進入する際、該透明板枠上ピンの先端が該板ばねの下板部の導入傾斜部から先端を押上げて進入し、該透明板枠上ピンが該下板部の下先端軸受部に入った際、該板ばねがそのばね力により下方位置に戻り、該透明板枠上ピンが該下先端軸受部と前記下水平板部の下軸受部との間に挟持されて保持されるように構成することができる。
【発明の効果】
【００１０】
上記構成のゲーム機用上部蝶番は、本体枠、中枠、及び透明板枠を備えたパチンコ機などのゲーム機に使用され、本体枠の上角部に蝶番の固定部が取り付けられ、中枠の上角部に蝶番の可動部が取り付けられ、透明板枠の上角部に透明板枠上ピンが上向きに突設される。
【００１１】
中枠を本体枠に対し装着する場合、先ず、中枠を持って下部蝶番の可動部を本体枠側の固定部に、ピンと軸受部との嵌合により嵌め込み、次に、その下部蝶番を支点にして中枠を少し傾けながら、上部蝶番の可動部の上水平板部の端部に開口した上案内路に、固定部側のピンを導入させるように、中枠側の可動部を例えば左側に傾動させるように動かす。このとき、固定部の水平突出部のピンは、可動部の上水平板部の上案内路に進入し、上案内路の先端の上軸受部まで進むと、ピンが板ばねの上先端軸受部と案内路先端の上軸受部との間に挟持されて保持され、中枠が蝶番を介して開閉可能に組み付けられる。
【００１２】
次に、中枠を本体枠に対し閉鎖した状態で、中枠の前面に透明板枠を開閉可能に装着する。透明板枠を中枠に対し装着する場合も、上記と同様に、透明板枠を持ってその下部蝶番の可動部を中枠側の固定部に、ピンと軸受部との嵌合により嵌め込む。
【００１３】
次に、その下部蝶番を支点にして透明板枠を少し傾けながら、上部蝶番の可動部の下水平板部の端部に開口した下案内路に、透明板枠上ピンを導入させるように、透明板枠を例えば左側に傾動させるように動かす。このとき、透明板枠の上角部の透明板枠ピンは、可動部の下水平板部の下案内路に進入し、下案内路の先端の下軸受部まで進むと、透明板枠ピンが板ばねの下先端軸受部と案内路先端の下軸受部との間に挟持されて保持され、透明板枠が蝶番を介して開閉可能に組み付けられる。
【００１４】
このように、本体枠に対し中枠を装着する場合、先ず、中枠の下部蝶番を嵌め、次に下部蝶番を支点にして中枠を少し水平方向に傾けながら、固定部のピンを可動部の上案内路に通し、その端部の上軸受部に嵌合させるため、重量のある中枠を非常に簡単に、本体枠に対し蝶番を介して取り付けることができる。同様に、中枠に対し透明板枠を装着する場合、先ず、透明板枠の下部蝶番を嵌め、次に下部蝶番を支点にして透明板枠を少し水平方向に傾けながら、透明板枠上ピンを可動部の下軸受部に下案内路を通して嵌合させるため、透明板枠を非常に簡単に中枠に対し蝶番を介して取り付けることができる。また、中枠を本体枠に対し開閉可能に取り付けるための蝶番可動部を、透明板枠の透明板枠上ピンを嵌合支持するために蝶番固定部として使用するため、透明板枠の開閉用の蝶番固定部を別個に設ける必要がなく、蝶番構成を簡単化することができる。
【発明を実施するための最良の形態】
【００１５】
以下、本発明の実施の形態を図面に基づいて説明する。図１はパチンコ機などに使用されるゲーム機用上部蝶番の固定部１の斜視図を示し、図２はその可動部１０の斜視図を示し、図３はその上部蝶番の分解斜視図を示している。
【００１６】
この上部蝶番の固定部１は、本体枠３０の上角部に固定される部分で、鋼板を正面視でＬ字形（直角）に曲折して垂直取付板２と水平取付板３が形成されている。垂直取付板２と水平取付板３には取付孔が穿設され、この部分がゲーム機の本体枠３０の上角部の外側に接して固定ねじで固定される。水平取付板３の前部には水平突出部４が前方に突出して形成されている。
【００１７】
そして、水平突出部４の先端部下面に、ピン５が下向きに突設されている。ピン５は、例えば、水平突出部４に穿設した孔に頭付きピンを下向き嵌入し、その周縁部をかしめて垂直に固定される。この下向きのピン５を突設した水平突出部４の下部に、可動部１０が進入し回動可能に嵌合される。
【００１８】
可動部１０は、中枠３１の上角部に取り付けられる部分で、図２、図３に示すように、可動部本体１０ａと板ばね２０とから構成される。可動部本体１０ａは、図５に示すように、鋼板を曲折して形成され、上水平板部１１と下水平板部１２が、間隔をおいて平行となるように、垂直側壁部１３を介して一体形成され、その上水平板部１１の延設部分が背面側に曲折されて垂直取付部１４が背面側に形成されている。そして、上水平板部１１と下水平板部１２の間に、略Ｕ字状の板ばね２０がばね弾性力をもって装着される。さらに、図５に示すように、上水平板部１１上には、上記固定部１のピン５が嵌挿される上軸受部１６が半円形状の孔として形成され、上軸受部１６は湾曲して形成された上案内路１８に連通している。
【００１９】
すなわち、図５（ｃ）に示すように、上軸受部１６は、上水平板部１１の鋼板の一部を切削または切断して形成された溝状の上案内路１８の末端に、軸受孔（半円形状の半孔）として形成され、固定部１側のピン５がこの上案内路１８を通り、末端の上軸受部１６にはめ込まれる構造である。さらに、上案内路１８の他端は垂直側壁部１３に達し、その側壁部１３に、ピン５を導入するための入口部１７が形成されている。また、上水平板部１１の略中央に、開口部１１ａが後述の板ばね２０の押え部２８を押し下げるために設けられる。
【００２０】
さらに、可動部本体１０ａの下水平板部１２には、図５（ｄ）に示すように、その前部に下軸受部１９が半円形の軸受孔として形成され、その下軸受部１９に連通して溝状の下案内路１９ａが形成され、下案内路１９ａの端部は下水平板部１２の側部（正面に向かって右側）に開口している。この下案内路１９ａには後述の透明板枠３２の透明板枠上ピン３３が開口側から進入し、その先端の下軸受部１９に嵌入して保持される。
【００２１】
可動部本体１０ａ内に装着される板ばね２０は、図６に示すように、金属板を略Ｕ字状に曲折し、曲折部２３を介して上板部２１と下板部２２を上下に設けている。この板ばね２０は、図４に示すように、可動部本体１０ａの内側に挿入され、その下板部２２がリベット２９により下水平板部１２上に固定され、その上板部２１が上水平板部１１の下面にばね弾性を持って接触している。
【００２２】
図６に示すように、板ばね２０の上板部２１の前部先端には、上先端軸受部２５が半円形凹部状に形成され、固定部１のピン５を上軸受部１６との間で挟持して保持する構造となっている。この上板部２１の上先端軸受部２５の近傍には、ピン５を導入するための導入凹部２４が形成され、この板ばね２０の上板部２１の導入凹部２４は可動部本体１０ａの上水平板部１１板ばね２０の上板部２１の上案内路１８の真下に位置する。また、板ばね２０の上板部２１には、ピン５を外す際にその上板部２１を押し下げるために、押え部２８が、開口部１１ａの真下に位置するように設けられている。
【００２３】
さらに、板ばね２０の下板部２２には、図６（ｃ）（ｄ）に示すように、下先端軸受部２６が半円形の凹部状に形成され、可動部本体１０ａの下水平板部１２の下軸受部１９との間で、透明板枠３２の透明板枠上ピン３３を挟持するように形成されている。また、板ばね２０の下板部２２の下先端軸受部２６の近傍には、透明板枠上ピン３３を下先端軸受部２６まで進入させるために、導入傾斜部２７が形成され、透明板枠上ピン３３の先端がこの導入傾斜部２７から下板部２２を押し上げるようにしてその前部に進入するようにしている。上記可動部本体１０ａの下水平板部１２の下案内路１９ａは、この導入傾斜部２７の真下に位置している。
【００２４】
上記板ばね２０は、その上板部２１を可動部本体１０ａの上水平板部１１の下面に当接させ、その下板部２２を下水平板部１２の上面にばね弾性をもって当接させて装着され、ピン５の進入によりピン５から押下力を受けると、上板部２１がその上先端軸受部２５を下方に曲げ、ピン５が上先端軸受部２５に嵌合したとき、ばね力をもって水平位置に戻る。また、その下板部２２は、透明板枠上ピン３３の進入によりピン３３から押上力を受けると、下板部２２がその下先端軸受部２６を上方に曲げ、ピン３３が下先端軸受部２６に嵌合したとき、ばね力をもって水平位置に戻る構造となっている。
【００２５】
なお、透明板枠３２は、パチンコ機などのゲーム機の遊技盤を覆うように、その前面に開閉可能に装着される板ガラス或は透明合成樹脂板を内側に設けた扉であり、その上左角部には、図１０のように、ピン固定部３４が固定され、そのピン固定部３４の前方に突設された先端部上に、透明板枠上ピン３３が鉛直に突設されている。また、図示は省略されているが、ゲーム機の中枠３１の下角部には、下部蝶番の固定部が取付けられ、固定部はその水平取付板の突出端部にピンが上方に向けて垂直に固定され、更に、透明板枠３２の下角部に、下部蝶番の可動部が取付られる。この可動部の水平取付板の突出端部に、軸受部となる軸受孔がピンを挿通可能に形成されている。
【００２６】
上記構成の上部蝶番の固定部１は、図７に示すように、そのＬ字状に形成された垂直取付板２と水平取付板３をゲーム機の本体枠３０の左上角部の外側に当て、その取付孔と取付ねじを使用して、ゲーム機の本体枠３０の正面から向かって左角部外側に、その水平突出部４を前方に出した状態で固定される。その水平突出部４の下面に、ピン５が下方に向けて鉛直に突設されている。
【００２７】
一方、上部蝶番の可動部１０は、図７、図８に示すように、ゲーム機の中枠３１の正面に向かって左上角部に、その垂直取付部１４を当て、上水平板部１１を水平にし、上下の軸受部１６，１９を正面側に突き出すように固定される。中枠３１に固定された可動部１０の上水平板部１１上には、固定部側のピン５を導入するための入口部１７を左側に位置させ、上面に上案内路１８と上軸受部１６を位置させている（図７）。
【００２８】
一方、図示は省略されているが、ゲーム機の本体枠３０の下角部に、下部蝶番の固定部が取付られ、固定部はその水平取付板の突出端部にピンが上方に向けて垂直に固定され、更に、ゲーム機の中枠３１の下角部に、下部蝶番の可動部が取付られる。この可動部の水平取付板の突出端部に、軸受部となる軸受孔がピンを挿通可能に形成される。なお、下部蝶番においては、そのピンを可動部に設け、ピンが嵌る軸受部をその固定部に設けることもできる。
【００２９】
中枠３１を本体枠３０に対し開閉可能に装着する場合、先ず、中枠３１を持って下部蝶番の可動部の軸受孔を、本体枠３０側の固定部のピンに嵌め込む。軸受孔は鋼板に穿設した孔であり、ピンと孔の嵌め合いには多少の間隙があるため、中枠３１は多少傾動可能である。
【００３０】
次に、中枠３１を図７のように、約９０度に開いた状態とし、その下部蝶番を支点にして中枠３１を少し手前に傾けながら、固定部１の水平突出部４の下面に設けたピン５を、可動部１０の水平板部１１上の上案内路１８内に入口部１７から導入させるように、中枠３１つまり可動部１０を手前から後方に傾動させるように動かす。
【００３１】
このとき、固定部１のピン５は、可動部１０の水平板部１１の入口部１７から上案内路１８に進入し、さらに可動部１０を後側に移動させると、図８に示すように、ピン５が上軸受部１６に到達する。このとき、ピン５は板ばね２０の上板部２１を押下げながら進入し、上軸受部１６に嵌入したとき、上先端軸受部２５がピン５の後側部に嵌合する。これにより、ピン５は板ばね２０の上板部２１の上先端軸受部２５と可動部本体１０ａの上水平板部１１の上軸受部１６により挟持され、固定部１のピン５が可動部１０側の上軸受部１６に回動可能に保持され、相対的に可動部１０が固定部１に対し上軸受部１６とピン５を介して回動可能に組付けられる。
【００３２】
この状態は、図８に示すように、本体枠３０に対し中枠３１を約９０度開いた状態であり、中枠３１を本体枠３０に対し閉じると、図９のように、中枠３１は本体枠３０の前面を閉鎖するように閉じられる。
【００３３】
さらに、この状態で、中枠３１の前面に透明板枠３２を開閉可能に装着する。透明板枠３２を中枠３１に対し装着する場合も、上記と同様に、透明板枠３２を持ってその下部蝶番の可動部を中枠３１側の固定部に、ピンと軸受部との嵌合により嵌め込む。
【００３４】
次に、図１０に示すように、その下部蝶番を支点にして透明板枠３２を少し右に傾けながら、中枠３１に固定される可動部１０の下水平板部１２の右端部に開口した下案内路１９ａに、透明板枠上ピン３３を導入させるように、透明板枠３２を可動部１０に対し左側に傾動させるように動かす。
【００３５】
これにより、透明板枠３２の上角部上の透明板枠上ピン３３は、可動部１０の下水平板部１２の下案内路１９ａに進入し、板ばね２０の下板部２２を上方に撓ませながら、下案内路１９ａの先端の下軸受部１９に嵌入させる。このとき、板ばね２０の下先端軸受部２６がそのばね弾性力により元の位置に復帰し、透明板枠上ピン３３が板ばね２０の下先端軸受部２６と下軸受部１９間に挟持されて回動可能に保持される。そして、この状態で、透明板枠３２を閉じると図１１のように中枠３１の前面を閉鎖した状態となり、中枠３１に対する透明板枠３２の組み付けは完了する。
【００３６】
一方、透明板枠３２を上部蝶番から外す場合、透明板枠３２を中枠３１に対し約９０度開いた状態で、板ばね２０の導入傾斜部２７を持って、下板部２２を少し上方に撓ませる。これにより、下先端軸受部２６と透明板枠上ピン３３との係合が外れ、その状態で、透明板枠上ピン３３を下案内路１９ａを通して可動部１０の外側に外せば、透明板枠３２を上部蝶番から容易に外すことができる。
【００３７】
同様に、中枠３１を上部蝶番から外す場合、中枠３１を本体枠３０に対し約９０度開いた図８のような状態で、上水平板部１１の開口部１１ａを通して板ばね２０の押え部２８を押下げ、上板部２１を下方に撓ませる。これにより、上先端軸受部２５とピン５との係合が外れ、その状態で、上案内路１８に固定部１のピン５を通すように、可動部１０つまりの中枠３１を動かして、ピン５を可動部１０の外側に外せば、中枠３１を固定部１の上部蝶番から容易に外すことができる。
【００３８】
このように、本体枠３０に対し中枠３１を装着する場合、先ず、中枠３１の下部蝶番を嵌め、次に下部蝶番を支点にして中枠３１を少し水平方向に傾けながら、固定部１のピン５を可動部１０の上軸受部１６の上案内路１８に通すように嵌合させるため、重量のある中枠３１を非常に簡単に、本体枠３０に対し蝶番を介して取り付けることができる。同様に、中枠３１に対し透明板枠３２を装着する場合、先ず、透明板枠３２の下部蝶番を嵌め、次に下部蝶番を支点にして透明板枠３２を少し水平方向に傾けながら、透明板枠上ピン３３を可動部１０の下水平板部１２の下軸受部１９に、下案内路１９ａを通して嵌合させるため、透明板枠３２を非常に簡単に中枠３１に対し開閉可能に取り付けることができる。また、中枠３１を本体枠３０に対し開閉可能に取り付けるための蝶番の可動部１０を、透明板枠３２の透明板枠上ピン３３を嵌合支持するために使用するため、透明板枠３２の開閉用の蝶番の固定部を別個に設ける必要がなくなり、ゲーム機の蝶番部品の点数を削減し、蝶番構造を簡単化することができる。
【図面の簡単な説明】
【００３９】
【図１】本発明の一実施形態を示す上部蝶番の固定部１の斜視図である。
【図２】上部蝶番の可動部１０の斜視図である。
【図３】上部蝶番の分解斜視図である。
【図４】（ａ）は可動部の正面図、（ｂ）は同左側面図、（ｃ）はｂ図のｃ−ｃ断面図、（ｄ）はｂ図のｄ−ｄ拡大矢視部である。
【図５】（ａ）は可動部本体の正面図、（ｂ）は同左側面図、（ｃ）は同平面図、（ｄ）は同底面図である。
【図６】（ａ）は可動部の板ばねの平面図、（ｂ）は左側面図、（ｃ）底面図、（ｄ）は正面図である。
【図７】中枠の可動部１０を固定部１に嵌合させる際の斜視図である。
【図８】可動部１０を固定部１に嵌合させた状態の前扉の閉鎖時の平面図である。
【図９】可動部１０を固定部１に嵌合させた状態の前扉の閉鎖時の正面図である。
【図１０】中枠の可動部１０に対し透明板枠上ピンを嵌合させる際の斜視図である。
【図１１】本体枠の固定部に中枠の可動部を組み付け、透明板枠上ピンを可動部に嵌合させ、中枠と透明板枠を開閉可能に装着した状態の斜視図である。
【符号の説明】
【００４０】
１−固定部
２−垂直取付板
３−水平取付板
４−水平突出部
５−ピン
１０−可動部
１１−上水平板部
１２−下水平板部
１３−垂直側壁部
１４−垂直取付部
１６−上軸受部
１７−入口部
１８−上案内路
１９−下軸受部
２０−板ばね
２１−上板部
２２−下板部
２５−上先端軸受部
２６−下先端軸受部
３０−本体枠
３１−中枠
３２−透明板枠
３３−透明板枠上ピン
【図１】
2006175178.tif 000003
【図２】
2006175178.tif 000004
【図３】
2006175178.tif 000005
【図４】
2006175178.tif 000006
【図５】
2006175178.tif 000007
【図６】
2006175178.tif 000008
【図７】
2006175178.tif 000009
【図８】
2006175178.tif 000010
【図９】
2006175178.tif 000011
【図１０】
2006175178.tif 000012
【図１１】
2006175178.tif 000013